(57)【要約】【課題】車両のヨー方向の減衰特性を変化させて、車両の収斂性を向上することができる操舵装置を提供すること。【解決手段】前後輪操舵車１の旋回中における前後輪操舵車１の旋回中心位置を車両前後方向に移動させる前輪操舵装置２１および後輪操舵装置２２と、前後輪操舵車１の旋回中における操舵状態が切り込み状態か切り戻し状態かを判断する操舵状態判断部とを備える操舵装置２であって、前輪操舵装置２１および後輪操舵装置２２は、操舵状態判断部により、切り戻し状態であると判断されると、切り込み状態であると判断されるよりも、旋回中心位置を車両前後方向において後方に移動させる。これにより、前後輪操舵車１のヨー方向における減衰特性が向上し、この前後輪操舵車１の収斂性が向上する。【選択図】        図１
2008024183.tif 000002
【特許請求の範囲】
【請求項１】
車両の旋回中における当該車両の旋回中心位置を車両前後方向に移動させる旋回中心位置移動手段と、
車両の旋回中における操舵状態が切り込み状態か切り戻し状態かを判断する操舵状態判断手段と、
を備える操舵装置であって、
前記旋回中心位置移動手段は、前記操舵状態判断手段による判断に応じて、前記旋回中心位置を車両前後方向に移動させることを特徴とする操舵装置。
【請求項２】
前記旋回中心位置移動手段は、前記操舵状態判断手段により前記切り戻し状態であると判断されると、前記切り込み状態であると判断されるよりも、前記旋回中心位置を車両前後方向において後方に移動させることを特徴とする請求項１に記載の操舵装置。
【請求項３】
前記旋回中心位置移動手段は、前記切り戻し状態における切り戻し位置に応じて前記旋回中心位置の後方への移動量を変更することを特徴とする請求項２に記載の操舵装置。
【請求項４】
前記切り戻し位置とは、運転者が操作するステアリング装置のステアリング操舵角であり、
前記旋回中心位置移動手段は、前記切り戻し状態におけるステアリング操舵角の絶対値の増加に伴い前記旋回中心位置の後方への移動量を増加することを特徴とする請求項３に記載の操舵装置。
【請求項５】
前記旋回中心位置移動手段は、前記操舵状態判断手段により前記切り込み状態であると判断されると、前記切り戻し状態であると判断されるよりも、前記旋回中心位置を車両前後方向において前方に移動させることを特徴とする請求項１〜４のいずれか１つに記載の操舵装置。
【請求項６】
前記旋回中心位置移動手段は、前記切り込み状態における切り込み位置に応じて前記旋回中心位置の前方への移動量を変更することを特徴とする請求項４に記載の操舵装置。
【請求項７】
前記切り込み位置とは、運転者が操作するステアリング装置のステアリング操舵角であり、
前記旋回中心位置移動手段は、前記切り込み状態におけるステアリング操舵角との絶対値の増加に伴い前記旋回中心位置の前方への移動量を増加することを特徴とする請求項６に記載の操舵装置。
【発明の詳細な説明】
【技術分野】
【０００１】
この発明は、操舵装置に関し、更に詳しくは、車両の旋回中におけるこの車両の旋回中心を車両前後方向に移動させることができる車両の操舵装置に関する。
【背景技術】
【０００２】
従来の車両には、前輪の操舵角のみならず後輪の操舵角をも変更することができる前後輪操舵車や、４輪独立して制駆動力を付与することができる４輪独立駆動車などがある。ここで、車両は、この車両の旋回中心を基準に旋回することとなる。前輪のみ操舵可能な前輪操舵車における旋回中心は、車速や前輪の操舵角で決められる位置（基準旋回中心）となる。しかし、これら前後輪操舵車や４輪独立駆動車における旋回中心は、車両前後方向における任意の位置とすることができる。つまり、これら前後輪操舵車や４輪独立駆動車では、車両の旋回中における旋回中心の位置を基準旋回中心に対して車両前後方向における前方あるいは後方に移動させることができる。
【０００３】
そこで、従来の操舵装置では、例えば特許文献１に示すように、この旋回中心を車両前後方向における任意の位置とすることができる特性を用いたものがある。この特許文献１に示す操舵装置（車両の前後操舵角制御装置）では、車両の旋回初期には、目標旋回中心位置を車両後端の延長線上とし、以降、旋回の進行とともに目標旋回中心位置を徐々に車両前方に移動させる。これにより、旋回初期における車両後端外側の張り出し量を制限し、また、運転者に違和感を感じさせることなく旋回中の車両の横滑り角と内輪差を小さくすることができるものである。
【０００４】
【特許文献１】特開２００１−３３４９５１号公報
【発明の開示】
【発明が解決しようとする課題】
【０００５】
ところで、従来の操舵装置では、車両の旋回中における旋回中心位置の車両前後方向への移動に伴いこの車両のヨー方向の減衰特性が変化する。例えば、旋回中心位置が車両前後方向において前方よりも後方に位置すると、この減衰特性が向上するので、車両の収斂性が向上する。しかしながら、上記特許文献１に示す操舵装置では、車両の旋回中における旋回中心位置の車両前後方向において移動させることで、車両のヨー方向の減衰特性を変化させ、車両の収斂性を向上させる旨が開示されていない。
【０００６】
本発明は、上記に鑑みてなされたものであって、車両のヨー方向の減衰特性を変化させて、車両の収斂性を向上することができる操舵装置を提供することを目的とする。
【課題を解決するための手段】
【０００７】
上述した課題を解決し、目的を達成するために、車両の旋回中における当該車両の旋回中心位置を車両前後方向に移動させる旋回中心位置移動手段と、車両の旋回中における操舵状態が切り込み状態か切り戻し状態かを判断する操舵状態判断手段と、を備える操舵装置であって、前記旋回中心位置移動手段は、前記操舵状態判断手段による判断に応じて、前記旋回中心位置を車両前後方向に移動させることを特徴とする。
【０００８】
この発明によれば、旋回中心位置移動手段は、操舵状態判断手段による判断に応じて、旋回中心位置を車両前後方向に移動させるため、車両の旋回中における操舵状態が切り込み状態か切り戻し状態か否かで、車両のヨー方向の減衰特性を変化させることできる。従って、車両の旋回中において車両のヨー方向の減衰特性を向上させることできる。これにより、車両の旋回中における車両の収斂性を向上させることができる。
【０００９】
また、この発明では、上記操舵装置において、前記旋回中心位置移動手段は、前記操舵状態判断手段により前記切り戻し状態であると判断されると、前記切り込み状態であると判断されるよりも、前記旋回中心位置を車両前後方向において後方に移動させることを特徴とする。
【００１０】
また、この発明では、上記操舵装置において、前記旋回中心位置移動手段は、前記切り戻し状態における切り戻し位置に応じて前記旋回中心位置の後方への移動量を変更することを特徴とする。
【００１１】
また、この発明では、上記操舵装置において、前記切り戻し位置とは、運転者が操作するステアリング装置のステアリング操舵角であり、前記旋回中心位置移動手段は、前記切り戻し状態におけるステアリング操舵角の絶対値の増加に伴い前記旋回中心位置の後方への移動量を増加することを特徴とする。
【００１２】
これらの発明によれば、旋回中心位置移動手段は、切り込み状態である場合よりも切り戻し状態である場合に、旋回中心位置を車両前後方向において後方に移動させる。また、旋回中心位置移動手段による旋回中心位置の後方への移動量は、切り戻し状態における切り戻し位置に応じて変更、例えば切り戻し状態におけるステアリング操舵角の増加に伴い増加する。従って、車両の旋回中における操舵状態が切り戻し状態の場合に、車両の旋回中における操舵状態が切り込み状態の場合よりも車両のヨー方向の減衰特性を向上させることできる。これにより、操舵状態が切り戻し状態における車両の収斂性を向上させることができる。
【００１３】
また、この発明では、上記操舵装置において、前記旋回中心位置移動手段は、前記操舵状態判断手段により前記切り込み状態であると判断されると、前記切り戻し状態であると判断されるよりも、前記旋回中心位置を車両前後方向において前方に移動させることを特徴とする。
【００１４】
また、この発明では、上記操舵装置において、前記旋回中心位置移動手段は、前記切り込み状態における切り込み位置に応じて前記旋回中心位置の前方への移動量を変更することを特徴とする。
【００１５】
また、この発明では、上記操舵装置において、前記切り込み位置とは、運転者が操作するステアリング装置のステアリング操舵角であり、前記旋回中心位置移動手段は、前記切り込み状態おけるステアリング操舵角の絶対値の増加に伴い前記旋回中心位置の前方への移動量を増加することを特徴とする。
【００１６】
これらの発明によれば、旋回中心位置移動手段は、切り戻し状態である場合よりも切り込み状態である場合に、旋回中心位置を車両前後方向において前方に移動させる。また、旋回中心位置移動手段による旋回中心位置の前方への移動量は、切り込み状態おける切り込み位置に応じて変更、例えば切り込み状態におけるステアリング操舵角の増加に伴い増加する。従って、車両の旋回中における操舵状態が切り込み状態の場合に、車両の旋回中における操舵状態が切り戻し状態の場合よりも旋回中心位置が車両前後方向において前方に位置するので、操舵状態が切り込み状態における車両の回頭性を向上させることができる。
【発明の効果】
【００１７】
この発明にかかる操舵装置は、旋回中心位置移動手段が車両の旋回中における操舵状態に応じて旋回中心位置を車両前後方向に移動させるので、車両の旋回中における車両の収斂性を向上させることができるという効果を奏する。また、車両の旋回中における車両の回頭性を向上させることができるという効果を奏する。
【発明を実施するための最良の形態】
【００１８】
以下、この発明につき図面を参照しつつ詳細に説明する。なお、下記の実施例によりこの発明が限定されるものではない。また、下記の実施例における構成要素には、当業者が容易に想定できるもの或いは実質的に同一のものが含まれる。また、下記の実施例では、前後輪操舵車にこの発明にかかる操舵装置を用いる場合について説明するが、この発明はこれに限定されるものではない。この発明にかかる操舵装置は、例えば、４輪独立して制駆動力を付与することができる４輪独立駆動車に用いても良く、車両の旋回中における当該車両の旋回中心位置を車両前後方向に移動させることができる車両であればいずれの車両にも用いることができる。
【実施例】
【００１９】
図１は、この発明にかかる操舵装置を備える前後輪操舵車の構成例を示す図である。図２は、制御装置の構成例を示す図である。図３は、目標旋回中心位置マップを示す図である。図１に示すように、前後輪操舵車１は、左右の前輪１１がドライブシャフト１３に回転自在に連結されており、左右の後輪１２がドライブシャフト１４に回転自在に連結されている。ここで、ドライブシャフト１３には、エンジン１５からの駆動力が伝達される。従って、エンジン１５からの駆動力は、ドライブシャフト１３を介して左右の前輪１１に伝達され、この左右の前輪１１から路面に伝達される。これにより、前後輪操舵車１は、車両前後方向に前進あるいは後進することができる。なお、この前後輪操舵車１においては、エンジン１５の駆動力を図示しないプロペラシャフトを介してドライブシャフト１４に伝達しても良い。
【００２０】
この前後輪操舵車１は、この発明にかかる操舵装置２を備える。この操舵装置２は、左右の前輪１１および左右の後輪１２の操舵を行うものである。操舵装置２は、前輪操舵装置２１と、後輪操舵装置２２と、制御装置２３と、ステアリング装置２４とにより構成されている。
【００２１】
前輪操舵装置２１は、前後輪操舵車１の旋回中心位置Ｏを車両前後方向に移動させる旋回中心位置移動手段の一部を構成するものである。この前輪操舵装置２１は、左右の前輪１１を操舵し、前輪操舵角θ１を変更するものである。この前輪操舵装置２１は、ステアリングアーム２１ａと、前輪操舵機構２１ｂと、前輪操舵角センサ２１ｃと、操舵トルクセンサ２１ｄとにより構成されている。
【００２２】
ステアリングアーム２１ａは、両端部が左右の前輪１１のそれぞれに揺動自在に連結されている。
【００２３】
前輪操舵機構２１ｂは、運転者によりステアリング装置２４に入力された操舵力に応じて、ステアリングアーム２１ａを移動させることで、左右の前輪１１の前輪操舵角θ１を変更するものである。この前輪操舵機構２１ｂは、操舵特性変更手段であり、減衰力制御手段およびアシスト力制御手段でもある。この前輪操舵機構２１ｂは、ステアリング装置２４のステアリング減衰力の制御およびこのステアリング装置２４に入力される運転者による操舵力を補助するアシスト力の制御を行うものである。この前輪操舵機構２１ｂは、図示は省略するが前輪用モータと、前輪用減速機と、前輪操舵機構本体とにより構成されている。
【００２４】
前輪用モータは、アシスト力を発生するものである。前輪用減速機は、前輪用モータと連結されており、この前輪用モータの発生したアシスト力を前輪操舵機構本体に伝達するものである。前輪操舵機構本体は、運転者によりステアリング装置２４に入力された操舵力および前輪用モータの発生したアシスト力が伝達されることで、ステアリングアーム２１ａを移動させるものである。なお、前輪用モータの駆動制御は、制御装置２３により行われる。
【００２５】
前輪操舵角センサ２１ｃは、左右の前輪１１の前輪操舵角θ１を検出するものである。この検出された前輪操舵角θ１は、制御装置２３に出力される。
【００２６】
操舵トルクセンサ２１ｄは、ステアリング装置２４を介して前輪操舵機構２１ｂに伝達される運転者による操舵力を検出するものである。この検出された操舵トルクＴは、制御装置２３に出力される。
【００２７】
後輪操舵装置２２は、前後輪操舵車１の旋回中心位置を車両前後方向に移動させる旋回中心位置移動手段の一部を構成するものである。この後輪操舵装置２２は、左右の後輪１２を操舵し、後輪操舵角θ２を変更するものである。この後輪操舵装置２２は、ステアリングアーム２２ａと、後輪操舵機構２２ｂと、後輪操舵角センサ２２ｃとにより構成されている。
【００２８】
ステアリングアーム２２ａは、両端部が左右の後輪１２のそれぞれに揺動自在に連結されている。
【００２９】
後輪操舵機構２２ｂは、運転者によりステアリング装置２４に入力された操舵力に応じて、ステアリングアーム２２ａを移動させることで、左右の後輪１２の後輪操舵角θ２を変更するものである。この後輪操舵機構２２ｂは、図示は省略するが後輪用モータと、後輪用減速機と、後輪操舵機構本体とにより構成されている。
【００３０】
後輪用モータは、左右の後輪１２の後輪操舵角θ２を調整するのに必要な後輪操舵力を発生するものである。後輪用減速機は、後輪用モータと連結されており、この後輪用モータの発生した後輪操舵力を後輪操舵機構本体に伝達するものである。後輪操舵機構本体は、後輪用モータの発生した後輪操舵力が伝達されることで、ステアリングアーム２２ａを移動させるものである。なお、後輪用モータの駆動制御は、制御装置２３により行われる。
【００３１】
後輪操舵角センサ２２ｃは、左右の後輪１２の後輪操舵角θ２を検出するものである。この検出された後輪操舵角θ２は、制御装置２３に出力される。
【００３２】
制御装置２３は、操舵装置２を制御するものであり、特に前輪操舵装置２１の前輪操舵機構２１ｂにおけるアシスト力および後輪操舵装置２２の後輪操舵機構２２ｂにおける後輪操舵力を制御することで、旋回中心位置移動手段である前輪操舵装置２１および後輪操舵装置２２による前後輪操舵車１の旋回中心位置を制御するものである。この制御装置２３は、図２に示すように、操舵装置２が備えられた前後輪操舵車１の各所に取り付けられたセンサから、各種入力信号が入力される。入力信号としては、例えば、前輪操舵角センサ２１ｃにより検出された左右の前輪１１の前輪操舵角θ１、操舵トルクセンサ２１ｄにより検出された操舵力、後輪操舵角センサ２２ｃにより検出された左右の後輪１２の後輪操舵角θ２、ステアリング操舵角センサ２４ｃにより検出されたステアリング操舵角θ、車速センサ３により検出された車速Ｖ、ヨーレートセンサ４により検出された自転速度、横加速度センサ５により検出された横加速度などがある。
【００３３】
この制御装置２３は、これら入力信号と、記憶部２３ｃに予め格納されているステアリング操舵角θおよび前後輪操舵車１の旋回中心位置とに基づいた目標旋回中心位置マップなどの各種マップとに基づいて各種出力信号を出力する。出力信号としては、例えば、アシスト力を発生する前輪操舵機構２１ｂの図示しない前輪用モータの前輪用モータ駆動制御を行う信号、後輪操舵力を発生する後輪操舵機構２２ｂの図示しない後輪用モータの後輪用モータ駆動制御を行う信号などがある。
【００３４】
また、制御装置２３は、上記入力信号や出力信号の入出力を行う入出力部（Ｉ／Ｏ）２３ａと、処理部２３ｂと、ステアリング操舵角θと目標旋回中心位置ＯTとに基づく目標旋回中心位置マップなどの各種マップなどを格納する記憶部２３ｃとにより構成されている。処理部２３ｂは、メモリおよびＣＰＵ（Central Processing Unit）により構成されている。この処理部２３ｂは、少なくとも旋回中心位置算出部２３ｄと、操舵状態判断部２３ｅと、目標旋回中心位置算出部２３ｆと、操舵力制御部２３ｇとを有している。処理部２３ｂは、前後輪操舵車１の操舵方法、特に操舵装置２の制御方法などに基づくプログラムをメモリにロードして実行することにより、この前後輪操舵車１の操舵方法、特に操舵装置２の制御方法などを実現させるものであっても良い。また、記憶部２３ｃは、フラッシュメモリ等の不揮発性のメモリ、ＲＯＭ（Read Only Memory）のような読み出しのみが可能なメモリ、あるいはＲＡＭ（Random Access Memory）のような読み書きが可能なメモリ、あるいはこれらの組み合わせにより構成することができる。
【００３５】
処理部２３ｂの旋回中心位置算出部２３ｄは、旋回中心位置算出手段であり、前後輪操舵車１の旋回中におけるこの前後輪操舵車１の旋回中心位置Ｏを算出するものである。この旋回中心位置算出部２３ｄは、前後輪操舵車１の車速Ｖと、前後輪操舵車１のヨーレートと、前後輪操舵車１の横加速度と、前後輪操舵車１の前輪操舵角度θ１および後輪操舵角θ２（ステアリング操舵角センサ２４ｃにより検出されたステアリング操舵角に基づいて推定される前輪操舵角θ１および後輪操舵角θ２でも良い）と、予め記憶部２３ｃに格納されている前後輪操舵車１の車両モデル（例えば、重心位置、ホイールベースなど）とに基づいて前後輪操舵車１の旋回中心位置Ｏを算出する。
【００３６】
処理部２３ｂの操舵状態判断部２３ｅは、操舵状態判断手段である。この操舵状態判断部２３ｅは、前後輪操舵車１の旋回中における操舵状態が切り込み状態か切り戻し状態かを判断する。ここで、切り込み状態とは、前後輪操舵車１の旋回中に、この前後輪操舵車１の旋回方向にさらに旋回しようとしている状態をいう。また、切り戻し状態とは、前後輪操舵車１の旋回中にこの前後輪操舵車１が直進状態に戻ろうとしている状態をいう。この操舵状態判断部２３ｅは、ステアリング操舵角θに基づいたステアリング操舵角速度ωに基づいて前後輪操舵車１の旋回中における操舵状態が切り込み状態か切り戻し状態かを判断する。
【００３７】
処理部２３ｂの目標旋回中心位置算出部２３ｆは、目標旋回中心位置算出手段であり、前後輪操舵車１の旋回中におけるこの前後輪操舵車１の目標旋回中心位置ＯTを算出するものである。この目標中心位置算出部２３ｆは、目標旋回中心位置ＯTをステアリング操舵角θと、記憶部２３ｃに格納されている目標旋回中心位置マップとに基づいて算出する。ここで、目標旋回中心位置マップは、前後輪操舵車１の車速Ｖに応じて複数個設定されている。これは、同一ステアリング操舵角θであっても、前後輪操舵車１の車速Ｖに応じて旋回中心位置Ｏが変化するためである。従って、目標旋回中心位置ＯTは、ステアリング操舵角θと、前後輪操舵車１の車速Ｖと、前後輪操舵車１の旋回中における操舵状態が切り込み状態か切り戻し状態かの判断とで算出される。
【００３８】
この各目標旋回中心位置マップは、図３に示すように、ステアリング操舵角θと、目標旋回中心位置ＯT（基準旋回中心位置ＯBに対する車両前後方向における移動量Ｌ）とにより構成されている。ステアリング操舵角θが０度であると、目標旋回中心位置ＯTは基準旋回中心位置ＯBとなる。ここで、基準旋回中心位置ＯBとは、任意の車速Ｖで旋回中の前後輪操舵車１において、後輪操舵装置２２を備えず左右の後輪１２の後輪操舵角θ２が一定、すなわち後輪操舵角θ２が常に０である場合の旋回中心位置をいう。つまり、基準旋回中心位置ＯBは、任意の車速Ｖで旋回中の前後輪操舵車１を前輪操舵車と仮定した場合における旋回中心位置である。
【００３９】
ここで、前後輪操舵車１のステアリング操舵角θがプラスである場合を前後輪操舵車１の右旋回時、マイナスである場合を前後輪操舵車１の左旋回時とする。ステアリング操舵角θがプラスあり、このステアリング操舵角θに基づくステアリン操舵角速度ωがプラスである場合は、前後輪操舵車１が右旋回中にこの前後輪操舵車１がこの右旋回方向にさらに旋回しようとしている状態であり、前後輪操舵車１の旋回中における操舵状態が切り込み状態である。一方、ステアリング操舵角θがプラスあり、このステアリング操舵角θに基づくステアリン操舵角速度ωがマイナスである場合は、前後輪操舵車１が右旋回中にこの前後輪操舵車１が直進状態に戻ろうとしている状態であり、前後輪操舵車１の旋回中における操舵状態が切り戻し状態である。また、ステアリング操舵角θがマイナスあり、このステアリング操舵角θに基づくステアリン操舵角速度ωがマイナスである場合は、前後輪操舵車１が左旋回中にこの前後輪操舵車１がこの左旋回方向にさらに旋回しようとしている状態であり、前後輪操舵車１の旋回中における操舵状態が切り込み状態である。一方、ステアリング操舵角θがマイナスあり、このステアリング操舵角θに基づくステアリン操舵角速度ωがプラスである場合は、前後輪操舵車１が左旋回中にこの前後輪操舵車１が直進状態に戻ろうとしている状態であり、前後輪操舵車１の旋回中における操舵状態が切り戻し状態である。
【００４０】
この各目標旋回中心位置マップは、前後輪操舵車１の旋回中における操舵状態が切り込み状態（＋θで＋ω、あるいは−θで−ω）である場合、目標旋回中心位置ＯTが基準旋回中心位置ＯBあるいは後方側旋回中心位置ＯRよりも車両前後方向において前方の前方側旋回中心位置ＯFとなる。また、前後輪操舵車１の旋回中における操舵状態が切り戻し状態（＋θで−ω、あるいは−θで＋ω）である場合、目標旋回中心位置ＯTが基準旋回中心位置ＯBあるいは前方側旋回中心位置ＯFよりも車両前後方向において後方の後方側旋回中心位置ＯRとなる。つまり、各目標旋回中心位置マップを用いることで、前後輪操舵車１の旋回中における操舵状態が切り込み状態（＋θで＋ω、あるいは−θで−ω）である場合は、前後輪操舵車１の旋回中における操舵状態が切り戻し状態（＋θで−ω、あるいは−θで＋ω）である場合よりも、目標旋回中心位置ＯTが車両前後方向において前方に算出されるように設定されている。前後輪操舵車１の旋回中における操舵状態が切り戻し状態（＋θで−ω、あるいは−θで＋ω）である場合は、前後輪操舵車１の旋回中における操舵状態が切り込み状態（＋θで＋ω、あるいは−θで−ω）である場合よりも、目標旋回中心位置ＯTが車両前後方向において後方に算出されるように設定されている。
【００４１】
また、各目標旋回中心位置マップでは、前後輪操舵車１の旋回中における操舵状態が切り込み状態における切り込み位置、すなわちステアリング操舵角θに応じて、目標旋回中心位置ＯTの前方への移動量が変化するように設定されている。この実施例では、切り込み状態におけるステアリング操舵角θの絶対値の増加に伴い目標旋回中心位置ＯTの前方への移動量が増加するように設定されている。また、各目標旋回中心位置マップでは、前後輪操舵車１の旋回中における操舵状態が切り戻し状態における切り戻し位置、すなわちステアリング操舵角θに応じて、目標旋回中心位置ＯTの後方への移動量が変化するように設定されている。この実施例では、切り戻し状態におけるステアリング操舵角θの絶対値の増加に伴い目標旋回中心位置ＯTの後方への移動量が増加するように設定されている。なお、各目標旋回中心位置マップは、ステアリング操舵角θの絶対値の増加に伴い目標旋回中心位置ＯTの移動量が増加するが、例えば、同図に示すように、ステアリング操舵角θの絶対値が増加するほど、移動量の増加量が減少するようにしても良い。
【００４２】
つまり、各目標旋回中心位置マップでは、前後輪操舵車１の旋回中における操舵状態が切り込み状態あるいは切り戻し状態かで、算出される目標旋回中心位置ＯTを車両前後方向において基準旋回中心位置ＯBよりも前方側に位置する前方側旋回中心位置ＯF、あるいは車両前後方向において基準旋回中心位置ＯBよりも後方側に位置する後方側旋回中心位置ＯRのいずれかとなるように設定されている。
【００４３】
処理部２３ｂの操舵制御部２３ｇは、上記旋回中心位置算出部２３ｄにより算出された旋回中心位置Ｏが上記目標旋回中心位置算出部２３ｆにより算出された目標旋回中心位置ＯTとなるように、前輪操舵機構２１ｂによりアシスト力および後輪操舵機構２２ｂにより後輪操舵力を発生させる。この実施例では、操舵制御部２３ｇは、上記旋回中心位置Ｏと目標旋回中心位置ＯTとに基づいて、前輪操舵機構２１ｂの図示しない前輪用モータの前輪用モータ駆動制御および後輪操舵機構２２ｂの図示しない後輪用モータの後輪用モータ駆動制御を行う。
【００４４】
ステアリング装置２４は、運転者により操作されるものであり、この運転者による操舵力を前輪操舵装置２１の前輪操舵機構２１ｂに伝達するものである。このステアリン装置２４は、ステアリングホイール２４ａと、インターミディエートシャフト２４ｂと、ステアリング操舵角センサ２４ｃとにより構成されている。
【００４５】
ステアリングホイール２４ａは、運転者が回転させることで、前輪操舵機構２１ｂに伝達する操舵力を与えるものである。このステアリングホイール２４ａは、インターミディエートシャフト２４ｂの一端に連結されている。
【００４６】
インターミディエートシャフト２４ｂは、ステアリングホイール２４ａを運転者が回転させたことで発生する操舵力を前輪操舵機構２１ｂに伝達するものである。このインターミディエートシャフト２４ｂは、回転自在に支持されており、他端が、この操舵力によりステアリングアーム２１ａを移動させることができるように前輪操舵機構２１ｂに連結されている。
【００４７】
ステアリング操舵角センサ２４ｃは、インターミディエートシャフト２４ｂの回転角、すなわちステアリング操舵角を検出するものである。この検出されたステアリング操舵角θは、制御装置２３に出力される。
【００４８】
車速センサ３は、車速検出手段であり、前後輪操舵車１の車速Ｖを検出するものである。この車速センサ３により検出された車速Ｖは、制御装置２３に出力される。
【００４９】
ヨーレートセンサ４は、前後輪操舵車１の自転速度を検出するものである。このヨーレートセンサ４により検出されたヨーレートは、制御装置２３に出力される。
【００５０】
横加速度センサ５は、前後輪操舵車１の車両前後方向と直交する車両横方向の加速度、すなわち横加速度を検出するものである。この横加速度センサ５により検出された横加速度は、制御装置２３に出力される。
【００５１】
次に、前後輪操舵車１に備えられたこの実施例１にかかる操舵装置２を用いた前後輪操舵車１の操舵制御方法について説明する。図４は、この発明にかかる操舵装置の動作を示すフロー図である。図５は、操舵トルクと、ヨーレートと、旋回中心位置との関係を示す図である。なお、操舵装置２による操舵制御方法は、この操舵装置２の制御周期ごとに行われる。
【００５２】
まず、図４に示すように、制御装置２３は、前後輪操舵車１が旋回中であるか否かを判断する（ステップＳＴ１）。ここでは、制御装置２３は、例えば、ステアリング操舵角センサ２４ｃにより検出されたステアリング操舵角θが所定角以上であるか否かを判断し、ステアリング操舵角θが所定角以上である場合に、車速センサ３により検出された車速Ｖと、前輪操舵角センサ２１ｃにより検出された前輪操舵角θ１あるいは後輪操舵角センサ２２ｃにより検出された後輪操舵角θ２とに基づいて、前後輪操舵車１が旋回中であるか否かを判断する。これは、前後輪操舵車１の軌道修正などの目的で運転者によりステアリング装置２４が操作される場合があり、この場合に後述する前後輪操舵車１の操舵制御方法を実行させないためである。なお、制御装置２３により前後輪操舵車１が旋回中でないと判断されると、この発明にかかる操舵装置２の１制御周期おける動作が終了し、次の制御周期に移行する。
【００５３】
次に、制御装置２３の目標旋回中心位置算出部２３ｆは、前後輪操舵車１が旋回中であると判断されると、車速Ｖを取得する（ステップＳＴ２）。ここでは、車速センサ３により検出され、制御装置２３に出力された車速Ｖを取得する。
【００５４】
次に、制御装置２３の目標旋回中心位置算出部２３ｆは、上記取得した車速Ｖに応じた目標旋回中心位置マップを取得する（ステップＳＴ３）。ここでは、記憶部２３ｃに格納されている複数の目標旋回中心位置マップから上記取得された車速Ｖに応じた目標旋回中心位置マップを取得する。
【００５５】
次に、制御装置２３の操舵状態判断部２３ｅは、ステアリング操舵角θを取得する（ステップＳＴ４）。ここでは、ステアリング操舵角センサ２４ｃにより検出され、制御装置２３に出力されたステアリング操舵角θを取得する。
【００５６】
次に、制御装置２３の操舵状態判断部２３ｅは、上記取得したステアリング操舵角θに基づいてステアリング操舵角速度ωを算出する（ステップＳＴ５）。
【００５７】
次に、制御装置２３の操舵状態判断部２３ｅは、ステアリング操舵角θがプラスであるか否かを判断する（ステップＳＴ６）。ここでは、操舵状態判断部２３ｅは、ステアリング操舵角θがプラス、すなわち前後輪操舵車１が右旋回中であるか否かを判断する。
【００５８】
次に、制御装置２３の操舵状態判断部２３ｅは、ステアリング操舵角θがプラスであると判断されると、ステアリング操舵角速度ωがプラスであるか否かを判断する（ステップＳＴ７）。ここでは、操舵状態判断部２３ｅは、ステアリング操舵角速度ωがプラス、すなわち右旋回中の前後輪操舵車１が右旋回方向にさらに旋回しようとしている状態であるか否かを判断する。
【００５９】
次に、制御装置２３の操舵状態判断部２３ｅは、ステアリング操舵角θがプラスであると判断され、ステアリング操舵角速度ωがプラスであると判断されると、切り込み状態であると判断する（ステップＳＴ９）。ここでは、操舵状態判断部２３ｅは、ステアリング操舵角速度ωがプラス、すなわち右旋回中の前後輪操舵車１が右旋回方向にさらに旋回しようとしている状態であると判断する。
【００６０】
次に、制御装置２３の目標旋回中心位置算出部２３ｆは、上記操舵状態判断部２３ｅにより切り込み状態であると判断されると、取得されたステアリング操舵角θおよび目標旋回中心位置マップに基づいて目標旋回中心位置ＯTを算出する（ステップＳＴ１０）。ここでは、目標旋回中心位置算出部２３ｆは、前後輪操舵車１の右旋回中における操舵状態が切り込み状態であるため、目標旋回中心位置ＯTを目標旋回中心位置マップの右上側においてステアリング操舵角θに応じて算出する。これにより、目標旋回中心位置ＯTは、ステアリング操舵角θに応じた前方側旋回中心位置ＯF（基準旋回中心位置ＯBより前方の位置）となる。
【００６１】
一方、制御装置２３の操舵状態判断部２３ｅは、ステアリング操舵角θがプラスであると判断され、ステアリング操舵角速度ωがマイナスであると判断されると、切り戻し状態であると判断する（ステップＳＴ１１）。ここでは、操舵状態判断部２３ｅは、ステアリング操舵角速度ωがマイナス、すなわち右旋回中の前後輪操舵車１が直進状態に戻ろうとしている状態であると判断する。
【００６２】
次に、制御装置２３の目標旋回中心位置算出部２３ｆは、上記操舵状態判断部２３ｅにより切り戻し状態であると判断されると、取得されたステアリング操舵角θおよび目標旋回中心位置マップに基づいて目標旋回中心位置ＯTを算出する（ステップＳＴ１２）。ここでは、目標旋回中心位置算出部２３ｆは、前後輪操舵車１の右旋回中における操舵状態が切り戻し状態であるため、目標旋回中心位置ＯTを目標旋回中心位置マップの右下側においてステアリング操舵角θに応じて算出する。これにより、目標旋回中心位置ＯTは、ステアリング操舵角θに応じた前方側旋回中心位置ＯF（基準旋回中心位置ＯBより後方の位置）となる。
【００６３】
また、制御装置２３の操舵状態判断部２３ｅは、ステアリング操舵角θがマイナスであると判断されると、ステアリング操舵角速度ωがマイナスであるか否かを判断する（ステップＳＴ８）。ここでは、操舵状態判断部２３ｅは、ステアリング操舵角速度ωがマイナス、すなわち左旋回中の前後輪操舵車１が左旋回方向にさらに旋回しようとしている状態であるか否かを判断する。
【００６４】
次に、制御装置２３の操舵状態判断部２３ｅは、ステアリング操舵角θがマイナスであると判断され、ステアリング操舵角速度ωがマイナスであると判断されると、切り込み状態であると判断する（ステップＳＴ９）。ここでは、操舵状態判断部２３ｅは、ステアリング操舵角速度ωがマイナス、すなわち左旋回中の前後輪操舵車１が左旋回方向にさらに旋回しようとしている状態であると判断する。
【００６５】
次に、制御装置２３の目標旋回中心位置算出部２３ｆは、上記操舵状態判断部２３ｅにより切り込み状態であると判断されると、取得されたステアリング操舵角θおよび目標旋回中心位置マップに基づいて目標旋回中心位置ＯTを算出する（ステップＳＴ１０）。ここでは、目標旋回中心位置算出部２３ｆは、前後輪操舵車１の左旋回中における操舵状態が切り込み状態であるため、目標旋回中心位置ＯTを目標旋回中心位置マップの左上側においてステアリング操舵角θに応じて算出する。これにより、目標旋回中心位置ＯTは、ステアリング操舵角θに応じた前方側旋回中心位置ＯF（基準旋回中心位置ＯBより前方の位置）となる。
【００６６】
一方、制御装置２３の操舵状態判断部２３ｅは、ステアリング操舵角θがマイナスであると判断され、ステアリング操舵角速度ωがプラスであると判断されると、切り戻し状態であると判断する（ステップＳＴ１１）。ここでは、操舵状態判断部２３ｅは、ステアリング操舵角速度ωがプラス、すなわち左旋回中の前後輪操舵車１が直進状態に戻ろうとしている状態であると判断する。
【００６７】
次に、制御装置２３の目標旋回中心位置算出部２３ｆは、上記操舵状態判断部２３ｅにより切り戻し状態であると判断されると、取得されたステアリング操舵角θおよび目標旋回中心位置マップに基づいて目標旋回中心位置ＯTを算出する（ステップＳＴ１２）。ここでは、目標旋回中心位置算出部２３ｆは、前後輪操舵車１の左旋回中における操舵状態が切り戻し状態であるため、目標旋回中心位置ＯTを目標旋回中心位置マップの左下側においてステアリング操舵角θに応じて算出する。これにより、目標旋回中心位置ＯTは、ステアリング操舵角θに応じた前方側旋回中心位置ＯF（基準旋回中心位置ＯBより後方の位置）となる。
【００６８】
次に、制御装置２３の旋回中心位置算出部２３ｄは、旋回中心位置Ｏを算出する（ステップＳＴ１３）。ここでは、旋回中心位置算出部２３ｄは、車速センサ３により検出され制御装置２３に出力された車速Ｖと、ヨーレートセンサ４により検出され制御装置２３に出力されたヨーレートと、横加速度センサ６により検出され制御装置２３に出力された横加速度と、前輪操舵角センサ２１ｃにより検出された前輪操舵角度θ１および後輪操舵角センサ２２ｃにより検出された後輪操舵角θ２（ステアリング操舵角センサ２４ｃにより検出されたステアリング操舵角に基づいて推定される前輪操舵角および後輪操舵角でも良い）と、予め記憶部２３ｃに格納されている前後輪操舵車１の車両モデル（例えば、重心位置、ホイールベースなど）などに基づいて旋回中心位置Ｏを算出する。
【００６９】
ここで、旋回中心位置Ｏが車両前後方向に移動することで、前後輪操舵車１のヨー方向における減衰特性が変化する。図５に示すように、運転者によるステアリング装置２４への操舵力（操舵トルクＴ）の入力が停止されと、前後輪操舵車１の減衰力、この前後輪操舵車１のヨー方向における姿勢の減衰特性、すなわち前後輪操舵車１の収斂性が決定される。旋回中心位置Ｏが前方側旋回中心位置ＯFの場合は、旋回中心位置Ｏが基準旋回中心位置ＯB（同図点線）の場合よりも、前輪操舵装置２１の減衰力が小さくなるため、減衰特性が低下し、収斂性が低下する。しかしながら、ステアリング装置２４の切り込み時、すなわち前後輪操舵装置１の旋回中における操舵状態が切り込み状態において、旋回中心位置Ｏが車両前後方向における後方に位置する場合よりも車両前後方向における前方に位置する場合の方がこの前後輪操舵車１の回頭性を向上させることができる。
【００７０】
一方、旋回中心位置Ｏが後方側旋回中心位置ＯRの場合は、旋回中心位置Ｏが基準旋回中心位置ＯBの場合よりも、前輪操舵装置２１の減衰力が大きくなるため、減衰特性が向上し、収斂性が向上する。つまり、前後輪操舵車１の減衰力は、旋回中心位置Ｏが車両前後方向における前方に位置する場合よりも車両前後方向における後方に位置する場合の方が増加し、減衰特性が向上する。従って、前後輪操舵装置１の収斂性は、旋回中心位置Ｏが車両前後方向における前方に位置する場合よりも車両前後方向における後方に位置する場合の方が向上することとなる。
【００７１】
次に、制御装置２３の操舵制御部２３ｇは、上記旋回中心位置算出部２３ｄにより算出された旋回中心位置Ｏが上記目標旋回中心位置算出部２３ｆにより算出された目標旋回中心位置ＯTとなるように、操舵制御を行う（ステップＳＴ１４）。ここでは、操舵制御部２３ｇは、算出された旋回中心位置Ｏが目標旋回中心位置ＯTとなるように、アシスト力および後輪操舵力を算出する。そして、操舵制御部２３ｇは、上記旋回中心位置Ｏと目標旋回中心位置ＯTとに基づいて、前輪操舵機構２１ｂの図示しない前輪用モータの前輪用モータ駆動制御および後輪操舵機構２２ｂの図示しない後輪用モータの後輪用モータ駆動制御を行うことで、算出したアシスト力および後輪操舵力を前輪操舵機構２１ｂおよび後輪操舵機構２２ｂによりそれぞれ発生させる。なお、この前輪用モータが発生したアシスト力は、図示しない前輪操舵機構本体に、図示しない前輪用減速機を介して運転者による操舵力とともに伝達される。これにより、運転者は、実際に前後輪操舵車１の操舵に必要な操舵力よりも、少ない操舵力により前後輪操舵車１を操舵することができる。
【００７２】
以上のように、この発明にかかる操舵装置２では、前後輪操舵車１の旋回中における操舵状態が切り込み状態である場合よりも切り戻し状態である場合に、旋回中心位置Ｏを車両前後方向において後方に移動させる。従って、前後輪操舵車１の旋回中における操舵状態が切り戻し状態の場合に、この前後輪操舵車１の旋回中における操舵状態が切り込み状態の場合よりも前後輪操舵車１のヨー方向の減衰特性を向上させることできる。これにより、車両の旋回中、特に、操舵状態が切り戻し状態における前後輪操舵車１の収斂性を向上させることができる。また、前後輪操舵車１のヨー方向の減衰特性を向上、すなわち前後輪操舵車１の減衰力を増加させる減衰力調整装置やこの減衰力調整装置の制御が必要ないため、簡単な構成で、前後輪操舵車１の収斂性を向上させることができる。
【００７３】
また、前後輪操舵車１の旋回中における操舵状態が切り戻し状態である場合よりも切り込み状態である場合に、旋回中心位置Ｏを車両前後方向において前方に移動させる。従って、前後輪操舵車１の旋回中における操舵状態が切り込み状態の場合に、この前後輪操舵車１の旋回中における操舵状態が切り戻し状態の場合よりも旋回中心位置Ｏが車両前後方向において前方に位置するので、車両の旋回中、特に、操舵状態が切り込み状態における前後輪操舵車１の回頭性を向上させることができる。
【００７４】
なお、上記実施例では、操舵装置２は、アシスト力および後輪操舵力を図示しないモータにより発生するもの（電動パワーステアリング）であるが、この発明はこれに限定されるものではなく。油圧によってアシスト力および後輪操舵力を発生するもの（油圧パワーステアリング）であっても良い。
【産業上の利用可能性】
【００７５】
以上のように、この発明にかかる操舵装置は、車両の旋回中心位置を車両前後方向において移動させることができる車両の操舵装置に有用であり、特に、車両のヨー方向の減衰特性を変化させて、車両の収斂性を向上するのに適している。
【図面の簡単な説明】
【００７６】
【図１】この発明にかかる車両走行制御装置の構成例を示す図である。
【図２】操舵装置の構成例を示す図である。
【図３】旋回中心位置マップを示す図である。
【図４】実施例１にかかる操舵装置の動作の一例を示すフロー図である。
【図５】操舵トルクと、ヨーレートと、旋回中心位置との関係を示す図である。
【符号の説明】
【００７７】
１  前後輪操舵車
１１  前輪
１２  後輪
１３，１４  ドライブシャフト
１５  エンジン
２  操舵装置
２１  前輪操舵装置（旋回中心位置移動手段）
２１ａ  ステアリングアーム
２１ｂ  前輪操舵機構
２１ｃ  前輪操舵角センサ
２１ｄ  操舵トルクセンサ
２２  後輪操舵装置（旋回中心位置移動手段）
２２ａ  ステアリングアーム
２２ｂ  後輪操舵機構
２２ｃ  後輪操舵角センサ
２３  制御装置
２３ａ  入出力部
２３ｂ  処理部
２３ｃ  記憶部
２３ｄ  旋回中心位置算出部
２３ｅ  操舵状態判断部（操舵状態判断手段）
２３ｆ  目標旋回中心位置算出部
２３ｇ  操舵制御部
２４  ステアリング装置
２４ａ  ステアリングホイール
２４ｂ  インターミディエートシャフト
２４ｃ  ステアリング操舵角センサ
３  車速センサ
４  ヨーレートセンサ
５  横加速度センサ
【図１】
2008024183.tif 000003
【図２】
2008024183.tif 000004
【図３】
2008024183.tif 000005
【図４】
2008024183.tif 000006
【図５】
2008024183.tif 000007